(57)【要約】【課題】  ユーザに適した食品に対するクーポンを、例えば、ユーザ以外の第三者に提示でき、第三者によるユーザの健康管理への介入を可能とすることにより、ユーザに対して栄養管理を継続的に促すことが可能な健康管理支援装置および健康管理支援方法を提供する。【解決手段】  本発明の健康管理支援装置は、ユーザの購入食品情報を取得する取得手段と、前記購入食品情報から、ユーザに適した推奨食品のリストを作成するリスト作成手段と、前記推奨食品のリストから、前記推奨食品を購入可能なクーポンを作成するクーポン作成手段と、前記推奨食品のリストおよび前記クーポンを出力する出力手段とを含むことを特徴とする。【選択図】図１
2019179500.tif 000002
【特許請求の範囲】
【請求項１】
ユーザの購入食品情報を取得する取得手段と、
前記購入食品情報から、ユーザに適した推奨食品のリストを作成するリスト作成手段と、
前記推奨食品のリストから、前記推奨食品を購入可能なクーポンを作成するクーポン作成手段と、
前記推奨食品のリストおよび前記クーポンを出力する出力手段とを含むことを特徴とする、健康管理支援装置。
【請求項２】
前記出力手段により、前記推奨食品リストおよび前記クーポンがクーポン購入者の端末に出力される、請求項１記載の健康管理支援装置。
【請求項３】
前記ユーザの端末と、前記クーポン購入者の端末とは、異なる端末である、請求項２記載の健康管理支援装置。
【請求項４】
前記取得手段により、ユーザの識別情報が取得され、
前記クーポンが購入されたかを判定する購入判定手段と、
前記ユーザの識別情報に、前記クーポンの所有情報を付与する所有情報付与手段を含み、
前記所有情報付与手段において、前記購入判定手段により前記クーポンが購入されたと判定された場合、前記ユーザの識別情報に前記所有情報が付与される、請求項１から３のいずれか一項に記載の健康管理支援装置。
【請求項５】
前記クーポンが選択されたかを判定するクーポン選択判定手段と、
前記購入食品情報および選択されたクーポンにより購入可能な推奨食品から、ユーザに適した追加の推奨食品のリストを作成する追加リスト作成手段と、
前記追加の推奨食品のリストから、前記追加の推奨食品を購入可能な追加クーポンを作成する追加クーポン作成手段と、
前記追加の推奨食品のリストおよび前記追加クーポンを出力する追加出力手段とを含み、
前記追加リスト作成手段において、前記クーポン選択判定手段により前記クーポンが選択されたと判定された場合、前記追加の推奨食品のリストが作成され、
前記追加クーポン作成手段により、前記追加のクーポンが作成され、
前記追加出力手段により、前記追加の推奨食品のリストおよび前記追加クーポンが出力される、請求項１から４のいずれか一項に記載の健康管理支援装置。
【請求項６】
前記購入食品情報から、購入食品の栄養成分情報と、ユーザの嗜好情報とを抽出する抽出手段を含み、
前記リスト作成手段において、前記栄養成分情報と前記嗜好情報とから、前記推奨食品のリストが作成される、請求項１から５のいずれか一項に記載の健康管理支援装置。
【請求項７】
前記ユーザにより、前記推奨食品が選択されたかを判定する食品選択判定手段と、
前記購入食品情報および選択された推奨食品から、ユーザに適した同時購入推奨食品のリストを作成する同時購入リスト作成手段と、
前記同時購入推奨食品のリストを出力する同時購入リスト出力手段とを含み、
前記同時購入リスト作成手段において、前記食品選択判定手段により前記推奨食品が選択されたと判定された場合、前記同時購入推奨食品のリストを作成し、
前記同時購入リスト出力手段により、前記同時購入推奨食品のリストがユーザに出力される、請求項１か６のいずれか一項に記載の健康管理支援装置。
【請求項８】
ユーザの位置情報を取得する位置情報取得手段と、
前記ユーザの位置情報から、前記ユーザから所定距離内の店舗の食品の在庫情報を取得する在庫情報取得手段とを含み、
前記リスト作成手段により、前記購入食品情報および前記在庫情報から、ユーザに適した推奨食品のリストが作成される、請求項１から７のいずれか一項に記載の健康管理支援装置。
【請求項９】
ユーザの購入食品情報を取得する取得工程と、
前記購入食品情報から、ユーザに適した推奨食品のリストを作成するリスト作成工程と、
前記推奨食品のリストから、前記推奨食品を購入可能なクーポンを作成するクーポン作成工程と、
前記推奨食品のリストおよび前記クーポンを出力する出力工程とを含むことを特徴とする、健康管理支援方法。
【請求項１０】
ユーザの購入食品情報を取得する取得処理と、
前記購入食品情報から、ユーザに適した推奨食品のリストを作成するリスト作成処理と、
前記推奨食品のリストから、前記推奨食品を購入可能なクーポンを作成するクーポン作成処理と、
前記推奨食品のリストおよび前記クーポンを出力する出力処理とを、コンピュータ上で実行可能であることを特徴とする、プログラム。
【発明の詳細な説明】
【技術分野】
【０００１】
本発明は、健康管理支援装置、健康管理支援方法、およびプログラムに関する。
【背景技術】
【０００２】
医療費は国家予算の４１％を占めており、２０３０年には５０％を超えると予想されている。そうした中、健康寿命を伸ばす取り組みや、病気を未然に防ぐためのヘルスケアに対する製品やサービスが提供されている。また、ＩＣＴ技術の発達に伴い、ＩＣＴ技術を用いた健康管理アプリケーションおよびシステムが、活用されている。
【０００３】
ＩＣＴ技術を活用したヘルスケアサービスとして、特許文献１には、ユーザの過去の食事内容から推定されるユーザの食事傾向を判定し、ユーザが食事の入力を忘れた際にもユーザの食事傾向に応じて成分内容を確認可能な食事管理装置が開示されている。特許文献２には、食事管理の必要な要管理者が摂取する食事の画像から栄養成分解析および得られた栄養成分の蓄積を行い、さらに、要管理者に対して解析結果およびアドバイスを送信する食事管理支援システムが開示されている。また、特許文献３には、食事により摂取する食品の栄養成分情報を記録し、記録した食事の情報において、栄養成分を分析し、必要な栄養成分の過剰分および不足分が提示する方法が開示されている。
【先行技術文献】
【特許文献】
【０００４】
【特許文献１】特許第５８４３３８２号公報
【特許文献２】特許第４９８９２４０号公報
【特許文献３】特許第４９８７０４２号公報
【発明の概要】
【発明が解決しようとする課題】
【０００５】
健康管理を行なう場合、ユーザは、ユーザの健康状態、栄養状態等を考慮し、摂取する食品を選択する必要がある。しかしながら、ユーザが、ユーザの健康状態を考慮して、正確に、不足している栄養成分を補う食品を選択する、または過剰な栄養成分を除外する食品を選択することは困難という問題がある。
【０００６】
また、健康管理を行なう場合、ユーザの好みに偏った食品および食材を選択しない動機付けがないと、ユーザの健康管理に対する動機付けおよび意思の継続性が失われるという問題がある。
【０００７】
そこで、本発明は、ユーザに適した食品（例えば、栄養バランスがとれた食品、食材等）に対するクーポンを、例えば、ユーザ以外の第三者に提示でき、第三者によるユーザの健康管理への介入を可能とすることにより、ユーザに対して栄養管理を継続的に促すことが可能な健康管理支援装置および健康管理支援方法の提供を目的とする。
【課題を解決するための手段】
【０００８】
前記目的を達成するために、本発明の健康管理支援装置（以下、「支援装置」ともいう）は、ユーザの購入食品情報を取得する取得手段と、
前記購入食品情報から、ユーザに適した推奨食品のリストを作成するリスト作成手段と、
前記推奨食品のリストから、前記推奨食品を購入可能なクーポンを作成するクーポン作成手段と、
前記推奨食品のリストおよび前記クーポンを出力する出力手段とを含むことを特徴とする。
【０００９】
本発明の健康管理支援方法（以下、「支援方法」ともいう）は、ユーザの購入食品情報を取得する取得工程と、
前記購入食品情報から、ユーザに適した推奨食品のリストを作成するリスト作成工程と、
前記推奨食品のリストから、前記推奨食品を購入可能なクーポンを作成するクーポン作成工程と、
前記推奨食品のリストおよび前記クーポンを出力する出力工程とを含むことを特徴とする。
【００１０】
本発明のプログラムは、ユーザの購入食品情報を取得する取得処理と、
前記購入食品情報から、ユーザに適した推奨食品のリストを作成するリスト作成処理と、
前記推奨食品のリストから、前記推奨食品を購入可能なクーポンを作成するクーポン作成処理と、
前記推奨食品のリストおよび前記クーポンを出力する出力処理とを、コンピュータ上で実行可能であることを特徴とする。
【発明の効果】
【００１１】
本発明によれば、ユーザに適した食品（例えば、栄養バランスがとれた食品、食材等）に対するクーポンを、例えば、ユーザ以外の第三者に提示でき、第三者によるユーザの健康管理への介入を可能とすることにより、ユーザに対して栄養管理を継続的に促すことができる。
【図面の簡単な説明】
【００１２】
【図１】図１は、本発明の支援装置の一例（実施形態１）を示すブロック図である。
【図２】図２は、本発明の支援方法およびプログラムの一例（実施形態１）を示すフローチャートである。
【図３】図３は、実施形態１の支援装置の他の例を示すブロック図である。
【図４】図４は、実施形態２の支援装置の一例を示すブロック図である。
【図５】図５は、実施形態２の支援方法およびプログラムを示すフローチャートである。
【図６】図６は、実施形態３の支援装置の一例を示すブロック図である。
【図７】図７は、実施形態３の支援方法およびプログラムを示すフローチャートである。
【図８】図８は、実施形態４の支援装置の一例を示すブロック図である。
【図９】図９は、実施形態４の支援方法およびプログラムを示すフローチャートである。
【図１０】図１０は、実施形態５の支援装置の一例を示すブロック図である。
【図１１】図１１は、実施形態５の支援方法およびプログラムを示すフローチャートである。
【図１２】図１２は、実施形態６の支援装置の一例を示すブロック図である。
【図１３】図１３は、実施形態６の支援方法およびプログラムを示すフローチャートである。
【図１４】図１４は、実施形態８の支援システムの一例を示す模式図である。
【図１５】図１５は、実施形態８の支援システムの使用状態の一例を示す概略図である。
【発明を実施するための形態】
【００１３】
本発明の実施形態について説明する。なお、本発明は、下記の実施形態によって何ら限定および制限されない。なお、以下の図１〜図１５において、同一部分には、同一符号を付している。また、各実施形態の説明は、特に言及がない限り、互いの説明を援用できる。さらに、各実施形態の構成は、特に言及がない限り、組合せ可能である。
【００１４】
［実施形態１］
実施形態１は、本発明の支援装置および支援方法に関する。
【００１５】
図１に、本実施形態における支援装置のブロック図を示す。図１に示すように、本実施形態の支援装置１０は、取得手段１１１、リスト作成手段１１２、クーポン作成手段１１３、および出力手段１１４を有する。取得手段１１１、リスト作成手段１１２、クーポン作成手段１１３、および出力手段１１４は、例えば、図１に示すように、ハーデウェアであるデータ処理手段（データ処理装置）１１に組込まれてもよく、ソフトウェアまたは前記ソフトウェアが組み込まれたハードウェアでもよい。データ処理手段１１は、ＣＰＵ（Central Processing Unit）、ＧＰＵ（Graphics Processing Unit）等の演算装置を備えてもよい。また、データ処理手段１１は、例えば、後述のランダムアクセスメモリ（ＲＡＭ）、読み出し専用メモリ（ＲＯＭ）等を備えてもよい。
【００１６】
取得手段１１１は、リスト作成手段１１２と電気的に接続されている。取得手段１１１は、ユーザの購入食品情報を取得する。取得手段１１１は、例えば、ＣＰＵ、ＧＰＵ等の演算装置があげられる。前記ユーザは、例えば、健康管理を行なう任意のユーザがあげられる。前記ユーザは、例えば、一人でもよいし、複数人でもよい。前記購入食品情報は、例えば、前記ユーザにより購入された食品（購入食品）に関する情報である。前記購入食品情報は、例えば、前記購入食品の商品名（製品名、名称）、製造番号、前記購入食品を撮像した画像、レシートの画像、電子レシート、ＰＯＳ（point of sales）データ、栄養素表記の画像データ、購入時の日時、場所等があげられる。
【００１７】
リスト作成手段１１２は、クーポン作成手段１１３および出力手段１１４と電気的に接続されている。リスト作成手段１１２は、例えば、ＣＰＵ、ＧＰＵ等の演算装置があげられる。リスト作成手段１１２は、前記購入食品情報から、ユーザに適した推奨食品のリストを作成する。前記推奨食品は、例えば、野菜類、果菜類、肉類、乳製品、魚介類等の未調理品、調理品、菓子類、飲料等の加工品、調理キット、サプリメント、栄養補助食品、栄養補助飲料等があげられる。前記調理キットは、例えば、特定の食品を調理する上で必要な調理品または未調理品がセットになった食品セットである。前記ユーザに適した推奨食品は、例えば、前記ユーザの健康状態に適した食品、前記ユーザの栄養状態に適した食品、前記ユーザの健康状態および嗜好に適した食品、前記ユーザの栄養状態および嗜好に適した食品、前記ユーザの健康状態に適した食品、前記ユーザの疾病（罹病）状態に適した食品またはこれらの組合せ等があげられる。前記リストは、例えば、１以上の推奨食品を含めばよく、複数でもよい。前記リストは、例えば、前記推奨食品の名称、製造元、製造番号等の識別情報、価格、画像、栄養素等の情報を含む。前記リストは、１つまたは複数の情報を含み、価格の情報を含むことが好ましい。前記栄養素は、例えば、カロリー、糖質、脂質等の炭水化物、タンパク質、ナトリウム等の塩分、食物繊維、ミネラル、ビタミン、ポリフェノール、カロテノイド等があげられる。
【００１８】
クーポン作成手段１１３は、出力手段１１４と電気的に接続されている。クーポン作成手段１１３は、例えば、ＣＰＵ、ＧＰＵ等の演算装置があげられる。クーポン作成手段１１３は、前記推奨食品のリストから、前記推奨食品を購入可能なクーポンを作成する。前記クーポンは、例えば、引き換え可能な推奨食品、前記推奨食品の画像、前記推奨食品の商品名、前記クーポンを表す画像、価格（金額）、前記栄養素等の情報を含む。前記クーポンは、１つまたは複数の情報を含み、価格の情報を含むことが好ましい。
【００１９】
出力手段１１４は、前記推奨食品のリストおよび前記クーポンを出力する。出力手段１１４は、例えば、ＣＰＵ、ＧＰＵ等の演算装置があげられる。
【００２０】
つぎに、図２に、本実施形態における支援方法のフローチャートを示す。本実施形態の支援方法は、例えば、図１の支援装置１０を用いて、つぎのように実施する。図２に示すように、本実施形態の支援方法は、Ｓ１ステップ（取得）、Ｓ２ステップ（リスト作成）、Ｓ３ステップ（クーポン作成）、およびＳ４ステップ（出力）を含む。
【００２１】
まず、Ｓ１ステップでは、取得手段１１１により、ユーザの購入食品情報を取得する（取得工程）。前記購入食品情報は、例えば、前記ユーザの端末により入力され、支援装置１０へ出力される。このため、Ｓ１ステップでは、例えば、取得手段１１１により、前記ユーザの端末により入力され、出力された購入食品情報を取得する。前記端末は、例えば、携帯電話、スマートフォン、タブレット端末等の携帯端末、パソコン、スマートウォッチ、スマートグラス、ウェアブル端末等があげられる。前記端末は、例えば、カメラ、スキャナ等の撮像手段、ＩＣ（integrated circuit）カードリーダー、マイク等の音声入力手段等を備えてもよい。
【００２２】
つぎに、Ｓ２ステップでは、リスト作成手段１１２により、前記購入食品情報から、ユーザに適した推奨食品のリストを作成する（リスト作成工程）。Ｓ２ステップでは、例えば、前記購入食品情報から栄養成分の情報である栄養成分情報を抽出する。前記栄養成分情報は、例えば、前記購入食品の成分に関する情報である。前記栄養成分情報の抽出は、例えば、各購入食品の成分情報を記憶した装置内または装置外データベースから取得することにより、抽出してもよいし、各購入食品を構成する材料について、日本食品標準成分表を参照することにより、抽出してもよい。そして、Ｓ２ステップでは、例えば、得られた栄養成分情報および食事摂取基準を比較し、不足している栄養成分を含む食品を推奨食品として抽出し、リストを作成する。前記購入食品情報が複数の日数の情報を含む場合、Ｓ２ステップでは、リスト作成手段１１２は、例えば、生体組織のターンオーバーの多くは２８日以内であるため１週間〜１ヶ月の購入食品情報から抽出した栄養成分情報の平均値を、前記推奨食品の抽出に用いてもよい。前記食事摂取基準は、例えば、厚生労働省が推薦している栄養素の基準値があげられる。前記推奨食品の抽出は、例えば、推奨食品の候補食品およびその栄養成分情報等を記憶した装置内または装置外データベースから、前記不足している栄養成分を充足する候補食品の情報を取得することにより、実施できる。前記候補食品の情報は、例えば、候補食品の商品名、製造元、製造番号等の識別情報、価格、画像、栄養素等の情報である。また、前記購入食品情報が画像の場合、Ｓ２ステップでは、例えば、前記画像から購入食品を特定してもよい。前記購入食品の特定は、例えば、前記購入食品の名称のテキスト抽出、前記購入食品について検出可能な学習モデルによる抽出等により特定できる。前記学習モデルは、例えば、前記購入食品について、機械学習または深層学習を実施することにより作製できる。なお、本実施形態では、前記ユーザの栄養状態に適した推薦食品のリストを作成する例をあげて説明したが、本発明は、これに限定されず、例えば、前述のように、前記ユーザの疾病（罹病）状態に適した推奨食品等を作成してもよい。具体例として、前記ユーザが糖尿病の場合、リスト作成手段１１２は、例えば、糖質の含有量が低減された推奨食品を抽出する。また、前記ユーザが腎機能障害（例えば、腎不全等）の場合、リスト作成手段１１２は、例えば、タンパク質の含有量が低減された推奨食品を抽出する。さらに、前記ユーザが心疾患の場合、リスト作成手段１１２は、例えば、塩分の含有量が低減された推奨食品を抽出する。
【００２３】
Ｓ３ステップでは、クーポン作成手段１１３により、前記推奨食品のリストから、前記推奨食品を購入可能なクーポンを作成する。前記クーポンが前記推奨食品と引き換え可能なクーポンの場合、Ｓ３ステップでは、例えば、引き換え可能な推奨食品の情報を付与したクーポンを作成する。また、前記クーポンが一定金額以下の推奨食品と引き換え可能なクーポンの場合、Ｓ３ステップでは、例えば、価格の情報を付与したクーポンを作成する。具体的には、Ｓ３ステップでは、例えば、前記推奨食品の価格から前記クーポンの価格が決定される。そして、Ｓ３ステップでは、例えば、決定された価格の情報を付与したクーポンを作成する。Ｓ３ステップにおいて、複数のクーポンを作製する場合、各クーポンは、同じ情報または異なる情報が付与されたクーポンである。前記異なる情報は、例えば、異なる金額の情報、異なる推奨食品の情報、金額および推奨食品の少なくとも一方が異なる情報等があげられる。
【００２４】
そして、Ｓ４ステップでは、前記推奨食品のリストおよび前記クーポンを出力する（出力工程）。前記推奨食品のリストおよび前記クーポンの出力先は、例えば、前記ユーザの端末、クーポン購入者の端末等があげられる。前記クーポン購入者は、例えば、前記ユーザの健康を支援する人、法人等の団体等があげられる。具体例として、前記クーポン購入者は、例えば、前記ユーザの家族、親戚、企業、企業の健保、政府、地方自治体、保険会社、スポーツクラブ、医療機関、介護施設、老人ホーム等があげられる。前記ユーザの端末と前記クーポン購入者の端末とは、異なる端末であることが好ましい。これにより、本実施形態の支援装置および支援方法により、前記クーポン購入者が前記クーポンを購入することで、例えば、前記ユーザと前記クーポン購入者との間でのコミュニケーションのきっかけを付与できる。また、本実施形態の支援装置および支援方法により、例えば、第三者によるユーザの健康管理への介入を可能とできる。前記推奨食品のリストが、複数の推奨食品を含む場合、Ｓ４ステップでは、例えば、リストの一部または全部を出力する。
【００２５】
以上説明したように、実施形態１の支援装置および支援方法によれば、ユーザの健康状態、栄養状態等に応じて、ユーザに適した推奨食品のクーポンを提供できる。また、ユーザは、例えば、前記クーポンを使用することにより、簡便に推奨食品を購入できるため、前記ユーザに適した推奨食品の摂取を促すことができる。さらに、実施形態１の支援装置および支援方法によれば、ユーザに適した食品（例えば、栄養バランスがとれた食品、食材等）に対するクーポンを、例えば、ユーザ以外の第三者に提示でき、第三者によるユーザの健康管理への介入を可能とすることにより、ユーザに対して栄養管理を継続的に促すことができる。このため、実施形態１の支援装置および支援方法によれば、例えば、前記ユーザの健康管理を支援できる。なお、これらの効果は、後述する各実施形態においても同様である。
【００２６】
本実施形態において、支援装置１０は、データ処理手段１１から構成されるが、他の構成を含んでもよい。
【００２７】
図３に示すように、本発明の支援装置は、データ記憶手段を含んでもよい。図３は、実施形態１の支援装置の他の例を示すブロック図である。図３に示すように、支援装置２０は、支援装置１０の構成に加え、情報記憶部１２１、リスト記憶部１２２、およびクーポン記憶部１２３を含む。情報記憶部１２１は、画取得手段１１１およびリスト作成手段１１２と、リスト記憶部１２２は、リスト作成手段１１２および出力手段１１４と、クーポン記憶部１２３は、クーポン作成手段１１３および出力手段１１４と、それぞれ接続されている。情報記憶部１２１、リスト記憶部１２２、およびクーポン記憶部１２３は、例えば、図３に示すようにハードウェアであるデータ記憶手段１２に組み込まれてもよい。データ記憶手段１２は、ＲＡＭ、ＲＯＭ、フラッシュメモリー、ハードディスク（ＨＤ）、光ディスク、フロッピー（登録商標）ディスク（ＦＤ）等があげられる。支援装置２０は、例えば、取得手段１１１が取得した前記購入食品情報を情報記憶部１２１に記憶させ、記憶された前記購入食品情報をリスト作成手段１１２に出力する。また、リスト作成手段１１２の推奨食品のリストをリスト記憶部１２２に記憶させ、記憶された前記推奨食品のリストを、クーポン作成手段１１３および出力手段１１４に出力する。そして、クーポン作成手段１１３のクーポンを、クーポン記憶部１２３に記憶させ、記憶されたクーポンを出力手段１１４に出力する。これらの点を除き、支援装置２０は、支援装置１０と同様の構成を有し、その説明を援用できる。なお、後述の各実施形態の支援装置においても、各手段が対応する記憶部を有し、対応する記憶部が、各手段と接続されている手段と接続されてもよい。
【００２８】
実施形態１の支援装置および支援方法は、例えば、前記ユーザの位置を考慮して、前記推奨食品のリストを作成してもよい。これにより、実施形態１の支援装置および支援方法は、例えば、前記ユーザが容易に購入しやすい推奨食品を提案できるため、前記ユーザに適した推奨食品の摂取を促すことができる。このため、実施形態１の支援装置および支援方法によれば、例えば、前記ユーザの健康管理を支援できる。前記ユーザの位置を考慮する場合、実施形態１の支援装置は、例えば、ユーザの位置情報を取得する位置情報取得手段と、前記ユーザの位置情報から、前記ユーザから所定距離内の店舗の食品の在庫情報を取得する在庫情報取得手段とを含み、前記リスト作成手段により、前記購入食品情報および前記在庫情報から、ユーザに適した推奨食品のリストが作成される。また、実施形態１の支援方法は、例えば、ユーザの位置情報を取得する位置情報取得工程と、前記ユーザの位置情報から、前記ユーザから所定距離内の店舗の食品の在庫情報を取得する在庫情報取得工程とを含み、前記リスト作成工程では、前記購入食品情報および前記在庫情報から、ユーザに適した推奨食品のリストを作成する。前記ユーザの位置情報は、例えば、ユーザの現在の位置、ユーザの居所、ユーザの会社、ユーザの家等の情報があげられる。前記所定距離は、例えば、前記ユーザの移動時間、移動ルート等を考慮して、適宜設定できる。前記在庫情報は、例えば、前記店舗の在庫商品の商品名、数、種類等に関する情報である。
【００２９】
［実施形態２］
実施形態２は、本発明の支援装置および支援方法に関する。実施形態２の支援装置および支援方法は、例えば、実施形態１の支援装置および支援方法の説明を援用できる。
【００３０】
実施形態２の支援装置３０は、図４に示すように、実施形態１の支援装置１０に加え、購入判定手段１１５および所有情報付与手段１１６を含む。取得手段１１１、リスト作成手段１１２、クーポン作成手段１１３、出力手段１１４、購入判定手段１１５、および所有情報付与手段１１６は、例えば、図４に示すように、ハーデウェアであるデータ処理手段（データ処理装置）１１に組込まれてもよく、ソフトウェアまたは前記ソフトウェアが組み込まれたハードウェアでもよい。データ処理手段１１は、前述の演算装置を備えてもよい。また、データ処理手段１１は、例えば、前述のＲＡＭ、ＲＯＭ等を備えてもよい。
【００３１】
取得手段１１１は、前記購入食品情報に加え、ユーザの識別情報を取得する。前記ユーザの識別情報は、例えば、前記ユーザの端末の識別子、ユーザ識別子等があげられる。
【００３２】
購入判定手段１１５は、所有情報付与手段１１６と接続されている。購入判定手段１１５は、前記クーポンが購入されたかを判定する。購入判定手段１１５は、例えば、ＣＰＵ、ＧＰＵ等の演算装置があげられる。前記購入されるクーポンは、例えば、１つでもよいし、複数でもよい。
【００３３】
所有情報付与手段１１６は、取得手段１１１およびクーポン作成手段１１３とに接続されている。所有情報付与手段１１６は、前記購入判定手段により前記クーポンが購入されたと判定された場合、前記ユーザの識別情報に前記クーポンの所有情報を付与する。所有情報付与手段１１６は、例えば、ＣＰＵ、ＧＰＵ等の演算装置があげられる。前記「付与」は、例えば、「対応付け」または「関連付け」ということもできる。前記クーポンの所有情報は、例えば、前述のクーポンが含む情報のうち、いずれか１つ以上を含む。具体例として、前記クーポンが前記推奨食品と引き換え可能なクーポンの場合、前記クーポンの所有情報は、例えば、前記推奨食品の商品名を含む。前記クーポンが一定金額以下の推奨食品と引き換え可能なクーポンの場合、前記クーポンの所有情報は、例えば、前記クーポンの価格の情報を含む。
【００３４】
これらの点を除き、実施形態２の支援装置３０は、実施形態１の支援装置１０と同様の構成を有し、その説明を援用できる。
【００３５】
つぎに、図５に、実施形態２における支援方法のフローチャートを示す。実施形態２の支援方法は、例えば、図４の支援装置３０を用いて、つぎのように実施する。図５に示すように、実施形態２の支援方法は、実施形態１の支援方法に加え、Ｓ５ステップ（購入判定）およびＳ６ステップ（所有情報付与）を含む。
【００３６】
まず、Ｓ１ステップでは、取得手段１１１により、前記ユーザの購入食品情報に加え、前記ユーザの識別情報を取得する（取得工程）。Ｓ１ステップでは、例えば、取得手段１１１により、前記ユーザの端末により入力され、出力された購入食品情報およびユーザの識別情報を取得する。
【００３７】
つぎに、Ｓ２〜Ｓ４ステップについて、実施形態１の支援方法のＳ２〜Ｓ４ステップと同様にして実施する。
【００３８】
Ｓ５ステップでは、購入判定手段１１５により、前記クーポンが購入されたかを判定する（購入判定工程）。具体的には、前記クーポン購入者が前記クーポンを購入する場合、前記クーポン購入者の端末により、例えば、前記クーポンを購入することを示すクーポン購入情報が入力され、支援装置３０へ出力される。そこで、Ｓ５ステップでは、例えば、購入判定手段１１５により、前記購入情報の有無を判断することにより、クーポンが購入されたかを判定する。そして、Ｓ５ステップにおいて、購入判定手段１１５により、前記クーポンが購入されなかったと判定された場合（Ｎｏ）、終了する。他方、購入判定手段１１５により、前記クーポンが購入されたと判定された場合（Ｙｅｓ）、Ｓ６ステップに進む。
【００３９】
Ｓ６ステップでは、所有情報付与手段１１６により、前記ユーザの識別情報に前記所有情報を付与する（所有情報付与工程）。Ｓ６ステップは、例えば、前記所有情報を付与されたユーザの識別情報を、例えば、装置内または装置外の記憶手段に記憶させてもよい。そして、実施形態２の支援方法を、終了する。
【００４０】
実施形態２の支援装置および支援方法によれば、購入されたクーポンの情報が、ユーザの識別情報に付与される。このため、実施形態２の支援装置および支援方法によれば、ユーザ毎に所有しているクーポンを分けて保存でき、また、ユーザが任意のタイミングで所有しているクーポンを利用できる。
【００４１】
実施形態２の支援装置および支援方法は、例えば、さらに、前記ユーザの識別情報が前記クーポンの所有情報が付与された場合、前記ユーザに対して、前記クーポンの所有情報が付与されたことを報知してもよく、さらに、前記クーポン購入者の情報を報知してもよい。この場合、実施形態２の支援装置は、例えば、前記ユーザの識別情報が前記クーポンの所有情報が付与された場合、前記ユーザに対して、前記クーポンの所有情報が付与されたことを報知する報知手段を含む。前記報知手段は、例えば、ＣＰＵ、ＧＰＵ等の演算装置があげられる。また、実施形態２の支援方法は、例えば、前記ユーザの識別情報が前記クーポンの所有情報が付与された場合、前記ユーザに対して、前記クーポンの所有情報が付与されたことを報知する報知工程を含む。これにより、実施形態２の支援装置および支援方法は、例えば、前記ユーザと前記クーポン購入者との間でのコミュニケーションのきっかけを付与できる。また、実施形態２の支援装置および支援方法は、例えば、第三者によるユーザの健康管理への介入を可能とでき、より効果的に健康管理を支援できる。
【００４２】
［実施形態３］
実施形態３は、本発明の支援装置および支援方法に関する。実施形態３の支援装置および支援方法は、例えば、実施形態１〜２の支援装置および支援方法の説明を援用できる。
【００４３】
実施形態３の支援装置４０は、図６に示すように、実施形態１の支援装置１０に加え、食品選択判定手段１１７、所有判定手段１１８、および問合せ出力手段（問合せ手段）１１９を含む。取得手段１１１、リスト作成手段１１２、クーポン作成手段１１３、出力手段１１４、食品選択判定手段１１７、所有判定手段１１８、および問合せ出力手段１１９は、例えば、図６に示すように、ハーデウェアであるデータ処理手段（データ処理装置）１１に組込まれてもよく、ソフトウェアまたは前記ソフトウェアが組み込まれたハードウェアでもよい。データ処理手段１１は、前述の演算装置を備えてもよい。また、データ処理手段１１は、例えば、前述のＲＡＭ、ＲＯＭ等を備えてもよい。
【００４４】
食品選択判定手段１１７は、リスト作成手段１１２に接続されている。食品選択判定手段１１７は、前記ユーザにより、前記推奨食品が選択されたかを判定する。食品選択判定手段１１７は、例えば、ＣＰＵ、ＧＰＵ等の演算装置があげられる。
【００４５】
所有判定手段１１８は、食品選択判定手段１１７と接続されている。所有判定手段１１８は、食品選択判定手段１１７により前記推奨食品が選択されたと判定された場合、前記ユーザがクーポンを所有しているかを判定する。所有判定手段１１８は、例えば、ＣＰＵ、ＧＰＵ等の演算装置があげられる。
【００４６】
問合せ手段１１９は、所有判定手段１１８と接続されている。問合せ手段１１９は、前記所有判定手段によりクーポンを所有していると判定された場合、前記クーポンにより購入するかを前記ユーザに問合せする。問合せ手段１１９は、例えば、ＣＰＵ、ＧＰＵ等の演算装置があげられる。
【００４７】
これらの点を除き、実施形態３の支援装置４０は、実施形態１の支援装置１０と同様の構成を有し、その説明を援用できる。
【００４８】
つぎに、図７に、実施形態３における支援方法のフローチャートを示す。実施形態３の支援方法は、例えば、図６の支援装置４０を用いて、つぎのように実施する。図７に示すように、実施形態３の支援方法は、実施形態１の支援方法に加え、Ｓ７ステップ（食品選択判定）、Ｓ８ステップ（所有判定）、およびＳ９ステップ（問合せ）を含む。
【００４９】
まず、Ｓ１〜Ｓ４ステップについて、実施形態１の支援方法のＳ１〜Ｓ４ステップと同様にして実施する。
【００５０】
つぎに、Ｓ７ステップでは、選択判定手段１１７により、前記ユーザにより、前記推奨食品が選択されたかを判定する（食品選択判定工程）。具体的には、前記ユーザにより、例えば、前記ユーザの端末で食品が選択されると、前記選択された食品の情報は、前記ユーザの端末から支援装置４０へ出力される。そこで、Ｓ７ステップでは、例えば、選択判定手段１１７により、前記選択された食品が、前記リストにおける推奨食品と一致するかを判定する、すなわち、前記推奨食品が選択されたかを判定する。そして、Ｓ７ステップにおいて、選択判定手段１１７により前記推奨食品が選択されなかったと判定された場合（Ｎｏ）、終了する。他方、選択判定手段１１７により前記推奨食品が選択されたと判定された場合（Ｙｅｓ）、Ｓ８ステップに進む。
【００５１】
Ｓ８ステップでは、所有判定手段１１８により、前記ユーザがクーポンを所有しているかを判定する（所有判定工程）。前記ユーザの識別情報に前記クーポン情報が付与されている場合、Ｓ８ステップでは、所有判定手段１１８により、例えば、前記ユーザの識別情報に付与されたクーポン情報の有無を確認し、好ましくは、前記推奨食品を購入可能なクーポン情報の有無を確認する。前記選択された推奨食品が複数の場合、Ｓ８ステップでは、例えば、各選択された推奨食品について、前記推奨食品を購入可能なクーポン情報の有無を確認する。そして、Ｓ８ステップにおいて、所有判定手段１１８により前記クーポンを所有していないと判定された場合（Ｎｏ）、終了する。他方、選所有判定手段１１８により前記クーポンを所有していると判定された場合（Ｙｅｓ）、Ｓ９ステップに進む。
【００５２】
Ｓ９ステップでは、問合せ手段１１９により、前記クーポンにより購入するかを前記ユーザに問合せする問合せ情報を出力する（問合せ工程）。そして、実施形態３の支援方法を終了する。
【００５３】
実施形態３の支援装置および支援方法によれば、前記ユーザが食品を選択した際に所有しているクーポンの有無を確認し、クーポンを所有している場合、ユーザにクーポンの使用要否を問合せする。このため、実施形態３の支援装置および支援方法によれば、ユーザのクーポンの使用忘れを防止でき、また、前記クーポンにより購入可能な推奨食品を購入する動機づけとなるため、前記ユーザに適した推奨食品の摂取を促すことができる。このため、実施形態３の支援装置および支援方法によれば、例えば、前記ユーザの健康管理を支援できる。
【００５４】
実施形態３の支援装置および支援方法は、例えば、さらに、前記ユーザにより前記クーポンを使用したかを判定し、前記クーポンが使用されたと判定された場合、前記クーポンを削除してもよい。また、実施形態３の支援装置および支援方法は、例えば、前記ユーザの識別情報に前記クーポン所有情報が付与されている場合、付与された前記クーポン情報を削除してもよい。この場合、実施形態３の支援装置は、例えば、前記ユーザにより前記クーポンを使用されたかを判定する使用判定手段と、前記クーポンを削除する削除手段とを含み、前記削除手段において、前記使用判定手段により、前記ユーザにより前記クーポンが使用されたと判定された場合、前記クーポンが削除される。また、実施形態３の支援方法は、例えば、前記ユーザにより前記クーポンを使用されたかを判定する使用判定工程と、前記クーポンを削除する削除工程とを含み、前記削除工程では、前記使用判定工程において、前記ユーザにより前記クーポンが使用されたと判定された場合、前記クーポンを削除する。
【００５５】
［実施形態４］
実施形態４は、本発明の支援装置および支援方法に関する。実施形態４の支援装置および支援方法は、例えば、実施形態１〜３の支援装置および支援方法の説明を援用できる。
【００５６】
実施形態４の支援装置５０は、図８に示すように、実施形態１の支援装置１０に加え、クーポン選択判定手段１３０、追加リスト作成手段１３１、追加クーポン作成手段１３２、および追加出力手段１３３を含む。取得手段１１１、リスト作成手段１１２、クーポン作成手段１１３、出力手段１１４、クーポン選択判定手段１３０、追加リスト作成手段１３１、追加クーポン作成手段１３２、および追加出力手段１３３は、例えば、図８に示すように、ハーデウェアであるデータ処理手段（データ処理装置）１１に組込まれてもよく、ソフトウェアまたは前記ソフトウェアが組み込まれたハードウェアでもよい。データ処理手段１１は、前述の演算装置を備えてもよい。また、データ処理手段１１は、例えば、前述のＲＡＭ、ＲＯＭ等を備えてもよい。
【００５７】
クーポン選択判定手段１３０は、追加リスト作成手段１３１と接続されている。クーポン選択判定手段１３０は、前記クーポンが選択されたかを判定する。具体的には、クーポン選択判定手段１３０は、例えば、出力手段１１４により出力された前記クーポンが前記ユーザにより選択されたかを判定する。クーポン選択判定手段１３０は、例えば、ＣＰＵ、ＧＰＵ等の演算装置があげられる。
【００５８】
追加リスト作成手段１３１は、リスト作成手段１１２および追加クーポン作成手段１３２と接続されている。追加リスト作成手段１３１は、クーポン選択判定手段１３０により前記クーポンが選択されたと判定された場合、前記購入食品情報および選択されたクーポンにより購入可能な推奨食品から、ユーザに適した追加の推奨食品のリストを作成する。追加リスト作成手段１３１は、例えば、ＣＰＵ、ＧＰＵ等の演算装置があげられる。前記ユーザに適した追加の推奨食品は、例えば、前記ユーザの健康状態に適した食品、前記ユーザの栄養状態に適した食品、前記ユーザの健康状態および嗜好に適した食品、前記ユーザの栄養状態および嗜好に適した食品、前記ユーザの健康状態に適した食品、前記ユーザの疾病（罹病）状態に適した食品またはこれらの組合せ等があげられる。前記ユーザに適した追加の推奨食品は、例えば、前記選択されたクーポンにより購入可能な推奨食品と組合せて摂取することが望ましい食品、前記選択されたクーポンにより購入可能な推奨食品と異なる機会に摂取することが望ましい食品等があげられる。前記ユーザに適した追加の推奨食品は、前記選択されたクーポンにより購入可能な推奨食品と異なることが好ましい。前記リストは、例えば、「推奨食品」を「追加の推奨食品」に読み替えて、リスト作成手段１１２におけるリストの説明を援用できる。
【００５９】
追加クーポン作成手段１３２は、追加出力手段１３３と接続されている。追加クーポン作成手段１３２は、前記追加の推奨食品のリストから、前記追加の推奨食品を購入可能な追加クーポンを作成する。追加クーポン作成手段１３２は、例えば、ＣＰＵ、ＧＰＵ等の演算装置があげられる。前記追加クーポンは、例えば、「クーポン」を「追加クーポン」に、「推奨食品」を「追加の推奨食品」に読み替えて、クーポン作成手段１１３におけるクーポンの説明を援用できる。
【００６０】
追加出力手段１３３は、前記追加の推奨食品のリストおよび前記追加クーポンを出力する。追加出力手段１３３は、例えば、ＣＰＵ、ＧＰＵ等の演算装置があげられる。
【００６１】
これらの点を除き、実施形態４の支援装置５０は、実施形態１の支援装置１０と同様の構成を有し、その説明を援用できる。
【００６２】
つぎに、図９に、実施形態４における支援方法のフローチャートを示す。実施形態４の支援方法は、例えば、図８の支援装置５０を用いて、つぎのように実施する。図９に示すように、実施形態４の支援方法は、実施形態１の支援方法に加え、Ｓ１０ステップ（クーポン選択判定）、Ｓ１１ステップ（追加リスト作成）、Ｓ１２ステップ（追加クーポン作成）、およびＳ１３ステップ（追加出力）を含む。
【００６３】
まず、Ｓ１〜Ｓ４ステップについて、実施形態１の支援方法のＳ１〜Ｓ４ステップと同様にして実施する。
【００６４】
つぎに、Ｓ１０ステップでは、クーポン選択判定手段１３０により、前記クーポンが選択されたかを判定する（クーポン選択判定工程）。具体的には、前記ユーザにより、例えば、前記ユーザの端末でクーポンが選択されると、前記選択されたクーポンの情報は、前記ユーザの端末から支援装置５０へ出力される。そこで、Ｓ１０ステップでは、例えば、クーポン選択判定手段１３０により、前記選択されたクーポンの情報の有無を判定する、すなわち、前記クーポンが選択されたかを判定する。そして、Ｓ１０ステップにおいて、クーポン選択判定手段１３０により前記クーポンが選択されなかったと判定された場合（Ｎｏ）、終了する。他方、クーポン選択判定手段１３０により前記クーポンが選択されたと判定された場合（Ｙｅｓ）、Ｓ１１テップに進む。
【００６５】
Ｓ１１ステップでは、追加リスト作成手段１３１により前記購入食品情報および選択されたクーポンにより購入可能な推奨食品から、ユーザに適した追加の推奨食品のリストを作成する（追加リスト作成工程）。Ｓ１１ステップでは、例えば、前記購入食品情報および前記選択されたクーポンにより購入可能な推奨食品から栄養成分の情報である栄養成分情報を抽出する。前記栄養成分情報の抽出は、例えば、Ｓ２ステップの説明を援用できる。そして、Ｓ１１ステップでは、例えば、得られた栄養成分情報および食事摂取基準を比較し、不足している栄養成分を含む食品を追加の推奨食品として抽出し、リストを作成する。前記追加の推奨食品の抽出は、例えば、推奨食品の候補食品およびその栄養成分情報等を記憶した装置内または装置外データベースから、前記不足している栄養成分を充足する候補食品の情報を取得することにより、実施できる。前記追加の推奨食品の抽出では、例えば、前記選択されたクーポンにより購入可能な推奨食品と組合せて摂取することが望ましい食品、前記選択されたクーポンにより購入可能な推奨食品と異なる機会に摂取することが望ましい食品等を抽出することが好ましい。前記購入食品情報から後述のユーザの嗜好情報を抽出している場合、前記追加の推奨食品の抽出では、前記ユーザの嗜好情報を考慮してもよい。
【００６６】
Ｓ１２ステップでは、追加クーポン作成手段１３２により、前記追加の推奨食品のリストから、前記追加の推奨食品を購入可能な追加クーポンを作成する。Ｓ１２ステップは、例えば、「Ｓ３ステップ」を「Ｓ１２ステップ」に、「クーポン作成手段１１３」を「追加クーポン作成手段１３２」に、「推奨食品」を「追加の推奨食品」に、「クーポン」を「追加クーポン」に読み替えて、その説明を援用できる。
【００６７】
そして、Ｓ１３ステップでは、追加出力手段１３３により、前記追加の推奨食品のリストおよび前記追加クーポンを出力する。前記追加の推奨食品のリストおよび前記クーポンの出力先は、例えば、前記ユーザの端末、クーポン購入者の端末等があげられる。前記ユーザの端末と前記クーポン購入者の端末とは、異なる端末であることが好ましい。これにより、前記クーポン購入者が前記追加のクーポンを購入することで、例えば、前記ユーザと前記クーポン購入者との間でのコミュニケーションのきっかけを付与できる。また、本実施形態の支援装置および支援方法により、例えば、第三者によるユーザの健康管理への介入を可能とできる。前記追加の推奨食品のリストが、複数の追加の推奨食品を含む場合、Ｓ１３ステップでは、例えば、追加の推奨食品のリストの一部または全部を出力する。そして、実施形態４の支援方法を終了する。
【００６８】
以上説明したように、実施形態４の支援装置および支援方法によれば、例えば、ユーザの健康状態、栄養状態等に応じて、ユーザに適した追加の推奨食品の追加のクーポンを提供できる。また、ユーザは、例えば、前記クーポンに加え、前記追加のクーポンを使用することにより、簡便に推奨食品および追加の推奨食品を購入できるため、前記ユーザに適した推奨食品および追加の推奨食品の摂取を促すことができる。このため、実施形態４の支援装置および支援方法によれば、例えば、前記ユーザの健康管理を支援できる。
【００６９】
［実施形態５］
実施形態５は、本発明の支援装置および支援方法に関する。実施形態５の支援装置および支援方法は、例えば、実施形態１〜４の支援装置および支援方法の説明を援用できる。
【００７０】
実施形態５の支援装置６０は、図１０に示すように、実施形態１の支援装置１０に加え、抽出手段１３４を含む。取得手段１１１、抽出手段１３４、リスト作成手段１１２、クーポン作成手段１１３、および出力手段１１４は、例えば、図１０に示すように、ハーデウェアであるデータ処理手段（データ処理装置）１１に組込まれてもよく、ソフトウェアまたは前記ソフトウェアが組み込まれたハードウェアでもよい。データ処理手段１１は、前述の演算装置を備えてもよい。また、データ処理手段１１は、例えば、前述のＲＡＭ、ＲＯＭ等を備えてもよい。
【００７１】
抽出手段１３４は、取得手段１１１およびリスト作成手段１１２と接続されている。抽出手段１３４は、前記購入食品情報から、購入食品の栄養成分情報と、ユーザの嗜好情報とを抽出する。抽出手段１３４は、例えば、支援装置６０内または外から前記購入食品の栄養成分情報を取得してもよい。抽出手段１３４は、例えば、ＣＰＵ、ＧＰＵ等の演算装置があげられる。前記ユーザの嗜好情報は、例えば、ユーザの味、食感、香り、量、形、温度（例えば、温かい、冷たい等）等の好み、調理の有無、調理方法、調理時間、価格、限定商品（例えば、期間限定等）、割引、時間帯、行事または季節による嗜好性等があげられる。前記味は、例えば、甘味、苦み、酸味、うま味、塩味等があげられる。
【００７２】
リスト作成手段１１２は、取得手段１１１に代えて、抽出手段１３４と接続している。リスト作成手段１１２は、前記栄養成分情報と前記嗜好情報とから、前記推奨食品のリストを作成する。
【００７３】
これらの点を除き、実施形態５の支援装置６０は、実施形態１の支援装置１０と同様の構成を有し、その説明を援用できる。
【００７４】
つぎに、図１１に、実施形態５における支援方法のフローチャートを示す。実施形態５の支援方法は、例えば、図１０の支援装置６０を用いて、つぎのように実施する。図１１に示すように、実施形態５の支援方法は、実施形態１の支援方法に加え、Ｓ１４ステップ（抽出）を含む。
【００７５】
まず、Ｓ１ステップについて、実施形態１の支援方法のＳ１ステップと同様にして実施する。
【００７６】
つぎに、Ｓ１４ステップでは、抽出手段１３４により、前記購入食品情報から、購入食品の栄養成分情報と、ユーザの嗜好情報とを抽出する。前記購入食品の栄養成分情報の抽出は、例えば、Ｓ２ステップにおける栄養成分情報を抽出の説明を援用できる。前記ユーザの嗜好情報は、例えば、前記購入食品の栄養成分情報、味、香り、価格、割引、限定商品、重さ等の各要因と購入頻度の相関性を統計的に分析することにより抽出できる。また、前記前記ユーザの嗜好情報は、例えば、前記購入食品を購入時の温度、湿度、時間、場所、季節、行事等の要素と連携して分析し、抽出してもよい。
【００７７】
つぎに、Ｓ３ステップでは、リスト作成手段１１２により、前記栄養成分情報と前記嗜好情報とから、前記推奨食品のリストを作成する。具体的には、Ｓ３ステップでは、例えば、リスト作成手段１１２により、実施形態１の支援方法のＳ３ステップと同様にして、前記推奨食品を抽出する。そして、Ｓ３ステップでは、例えば、抽出された推奨食品から、前記嗜好情報に基づき、前記ユーザの嗜好に合致する推奨食品を選抜し、選抜された推奨食品についてリスト化する。具体例として、Ｓ３ステップでは、前記嗜好情報が前記ユーザの味の好みの場合、抽出された推奨食品から、前記ユーザの味の好みに合致する推奨食品を選抜し、選抜された推奨食品についてリスト化する。
【００７８】
まず、Ｓ３〜Ｓ４ステップについて、実施形態１の支援方法のＳ３〜Ｓ４ステップと同様にして実施する。そして、実施形態５の支援方法を終了する。
【００７９】
以上説明したように、実施形態５の支援装置および支援方法によれば、ユーザの健康状態、栄養状態等に加え、ユーザの嗜好に応じて、ユーザに適した推奨食品のクーポンを提供できる。また、ユーザは、例えば、前記クーポンを使用することにより、簡便に、ユーザの嗜好に合致した推奨食品を購入できるため、前記ユーザに適した推奨食品の摂取をより効果的に促すことができる。このため、実施形態５の支援装置および支援方法によれば、例えば、前記ユーザの健康管理をより効果的に支援できる。
【００８０】
実施形態５の支援装置および支援方法は、例えば、前記栄養成分情報に基づき、ユーザの健康状態を推定してもよい。これにより、実施形態５の支援装置および支援方法は、例えば、ユーザに対してユーザの健康状態を提示できるため、前記ユーザの健康管理をより効果的に支援できる。この場合、実施形態５の支援装置は、例えば、前記栄養成分情報からユーザの健康状態を推定する推定手段を含む。また、実施形態５の支援方法は、例えば、前記栄養成分情報からユーザの健康状態を推定する推定工程を含む。前記推定されるユーザの健康状態は、現在の健康状態でもよいし、ユーザの未来の健康状態でもよいし、両者でもよい。前記ユーザの健康状態の推定は、例えば、前記栄養成分の摂取量等に基づき推定できる。具体例として、前記ユーザがカロリーを過剰に摂取している場合、前記ユーザが、体重が増加する、または肥満の可能性があると推定できる。また、前記ユーザがタンパク質の摂取量が不足しており、糖質、脂質等の炭水化物の摂取量が、前記ユーザは、例えば、糖尿病、循環器系等の疾患に罹患しやすい、または罹患する可能性が高いと推定できる。前記ユーザが、ビタミンおよびミネラルの摂取量が不足する場合、前記ユーザは、例えば、イライラする可能性が高い、疾患に罹患する可能性が高いと推定できる。前記ユーザの健康状態の推定においては、例えば、パーソナルヘルスレコード（Personal Health Records）、処方薬、診断情報等と組合せて実施してもよい。
【００８１】
実施形態５の支援装置および支援方法がユーザの健康状態を推定する場合、実施形態５の支援装置および支援方法は、例えば、前記ユーザの健康状態を出力してもよい。これにより、実施形態５の支援装置および支援方法は、例えば、ユーザがユーザの健康状態を把握できるため、前記ユーザの健康管理をさらに効果的に支援できる。この場合、実施形態５の支援装置は、例えば、前記ユーザの健康状態を出力する健康状態出力手段を含む。また、実施形態５の支援方法は、例えば、前記ユーザの健康状態を出力する健康状態出力工程を含む。前記ユーザの健康状態は、例えば、前記ユーザの端末に出力してもよいし、前記クーポン購入者の端末に出力してもよい。
【００８２】
前記ユーザの健康状態は、例えば、グラフ等の画像、数値等として、出力してもよい。
【００８３】
［実施形態６］
実施形態６は、本発明の支援装置および支援方法に関する。実施形態６の支援装置および支援方法は、例えば、実施形態１〜５の支援装置および支援方法の説明を援用できる。
【００８４】
実施形態６の支援装置７０は、図１２に示すように、実施形態１の支援装置１０に加え、食品選択判定手段１１７、同時購入リスト作成手段１３５、および同時購入リスト出力手段１３６を含む。取得手段１１１、リスト作成手段１１２、クーポン作成手段１１３、出力手段１１４、食品選択判定手段１１７、同時購入リスト作成手段１３５、および同時購入リスト出力手段１３６は、例えば、図１２に示すように、ハーデウェアであるデータ処理手段（データ処理装置）１１に組込まれてもよく、ソフトウェアまたは前記ソフトウェアが組み込まれたハードウェアでもよい。データ処理手段１１は、前述の演算装置を備えてもよい。また、データ処理手段１１は、例えば、前述のＲＡＭ、ＲＯＭ等を備えてもよい。
【００８５】
食品選択判定手段１１７は、同時購入リスト作成手段１３５と電気的に接続されている。食品選択判定手段１１７は、前記ユーザにより、前記推奨食品が選択されたかを判定する。食品選択判定手段１１７は、例えば、ＣＰＵ、ＧＰＵ等の演算装置があげられる。
【００８６】
同時購入リスト作成手段１３５は、リスト作成手段１１２および同時購入リスト出力手段１３６と電気的に接続されている。同時購入リスト作成手段１３５は、食品選択判定手段１１７により前記推奨食品が選択されたと判定された場合、前記購入食品情報および選択された推奨食品から、ユーザに適した同時購入推奨食品のリストを作成する。同時購入リスト作成手段１３５は、例えば、ＣＰＵ、ＧＰＵ等の演算装置があげられる。前記ユーザに適した同時購入推奨食品は、例えば、前記ユーザの健康状態に適した食品、前記ユーザの栄養状態に適した食品、前記ユーザの健康状態および嗜好に適した食品、前記ユーザの栄養状態および嗜好に適した食品、前記ユーザの健康状態に適した食品、前記ユーザの疾病（罹病）状態に適した食品またはこれらの組合せ等があげられる。前記ユーザに適した同時購入推奨食品は、例えば、前記選択された推奨食品と組合せて摂取することが望ましい食品、前記選択された推奨食品と異なる機会に摂取することが望ましい食品等があげられる。前記ユーザに適した同時購入推奨食品は、前記選択された推奨食品と異なることが好ましい。前記リストは、例えば、「推奨食品」を「同時購入推奨食品」に読み替えて、リスト作成手段１１２におけるリストの説明を援用できる。
【００８７】
同時購入リスト出力手段１３６は、前記同時購入推奨食品のリストを出力する。同時購入リスト出力手段１３６は、例えば、ＣＰＵ、ＧＰＵ等の演算装置があげられる。
【００８８】
これらの点を除き、実施形態６の支援装置７０は、実施形態１の支援装置１０と同様の構成を有し、その説明を援用できる。
【００８９】
つぎに、図１３に、実施形態６における支援方法のフローチャートを示す。実施形態６の支援方法は、例えば、図１２の支援装置７０を用いて、つぎのように実施する。図１３に示すように、実施形態６の支援方法は、実施形態１の支援方法に加え、Ｓ７ステップ（食品選択判定）、Ｓ１５ステップ（同時購入リスト作成）、およびＳ１６ステップ（同時購入リスト出力）を含む。
【００９０】
まず、Ｓ１〜Ｓ４ステップについて、実施形態１の支援方法のＳ１〜Ｓ４ステップと同様にして実施する。
【００９１】
つぎに、Ｓ７ステップでは、選択判定手段１１７により、前記ユーザにより、前記推奨食品が選択されたかを判定する（食品選択判定工程）。具体的には、前記ユーザにより、例えば、前記ユーザの端末で食品が選択されると、前記選択された食品の情報は、前記ユーザの端末から支援装置７０へ出力される。そこで、Ｓ７ステップでは、例えば、選択判定手段１１７により、前記選択された食品が、前記リストにおける推奨食品と一致するかを判定する、すなわち、前記推奨食品が選択されたかを判定する。そして、Ｓ７ステップにおいて、選択判定手段１１７により前記推奨食品が選択されなかったと判定された場合（Ｎｏ）、終了する。他方、選択判定手段１１７により前記推奨食品が選択されたと判定された場合（Ｙｅｓ）、Ｓ１５ステップに進む。
【００９２】
Ｓ１５ステップでは、同時購入リスト作成手段１３５により、前記購入食品情報および選択された推奨食品から、ユーザに適した同時購入推奨食品のリストを作成する（同時購入リスト作成工程）。Ｓ１５ステップでは、例えば、前記購入食品情報および前記選択された推奨食品から栄養成分の情報である栄養成分情報を抽出する。前記栄養成分情報の抽出は、例えば、Ｓ２ステップの説明を援用できる。そして、Ｓ１５ステップでは、例えば、得られた栄養成分情報および食事摂取基準を比較し、不足している栄養成分を含む食品を同時購入推奨食品として抽出し、リストを作成する。前同時購入推奨食品の抽出は、例えば、推奨食品の候補食品およびその栄養成分情報等を記憶した装置内または装置外データベースから、前記不足している栄養成分を充足する候補食品の情報を取得することにより、実施できる。前記同時購入推奨食品の抽出では、例えば、前記選択された推奨食品と組合せて摂取することが望ましい食品、前記選択された推奨食品と異なる機会に摂取することが望ましい食品等を抽出することが好ましい。前記購入食品情報から前記ユーザの嗜好情報を抽出している場合、前記同時購入推奨食品の抽出では、前記ユーザの嗜好情報を考慮してもよい。
【００９３】
そして、Ｓ１６ステップでは、同時購入リスト出力手段１３６により、前記同時購入推奨食品のリストを出力する。前記同時購入推奨食品のリストの出力先は、例えば、前記ユーザの端末があげられる。前記同時購入推奨食品のリストが、複数の同時購入推奨食品を含む場合、Ｓ１６ステップでは、例えば、同時購入推奨食品のリストの一部または全部を出力する。そして、実施形態６の支援方法を終了する。
【００９４】
以上説明したように、実施形態６の支援装置および支援方法によれば、ユーザの選択した推奨食品に応じて、ユーザに適した同時購入推奨食品のリストを提供できる。また、ユーザは、例えば、前記選択した推奨食品に加え、前記同時購入推奨食品を購入することにより、簡便に前記ユーザに適した推奨食品および同時購入推奨食品を入手できるため、ユーザに適した推奨食品および同時購入推奨食品の摂取を促すことができる。このため、実施形態６の支援装置および支援方法によれば、例えば、前記ユーザの健康管理を支援できる。
【００９５】
［実施形態７］
本実施形態のプログラムは、前述の健康管理支援方法を、コンピュータ上で実行可能なプログラムである。または、本実施形態のプログラムは、例えば、コンピュータ読み取り可能な記録媒体に記録されてもよい。前記記録媒体としては、特に限定されず、例えば、ランダムアクセスメモリ（ＲＡＭ）、読み出し専用メモリ（ＲＯＭ）、ハードディスク（ＨＤ）、光ディスク、フロッピー（登録商標）ディスク（ＦＤ）等があげられる。本実施形態のプログラムは、実施形態１〜６の健康管理支援方法の説明を援用できる。
【００９６】
［実施形態８］
実施形態８は、本発明の健康管理支援サーバに関する。
【００９７】
図１４に、本発明の支援装置を用いた支援システムの一例の構成を示す。図１４に示すように、本実施形態の支援システムは、サーバ３１と、ユーザの端末３２ａと、クーポン購入者の端末３２ｂとを備える。サーバ３１と、ユーザの端末３２ａと、クーポン購入者の端末３２ｂとは、通信回線網３３を介して接続されている。図１４において、サーバ３１と接続されている端末３２ａ、３２ｂの数は、２つであるが、これに限定されず、１つでもよいし、２つ以上でもよい。
【００９８】
本実施形態の支援システムでは、サーバ３１側に、取得手段、リスト作成手段、クーポン作成手段、および出力手段が格納される。そして、本実施形態の支援システムでは、例えば、端末３２ａにより入力された前記購入食品情報を、サーバ３１に送信し、サーバ３１側で、前記推奨食品のリストの作成および前記クーポンの作成を行なう。そして、サーバ３１は、前記推奨食品のリストおよび前記クーポンを、前記クーポン購入者の端末である端末３２ｂに送信する。そして、前記クーポン購入者の端末３２ｂにおいて、前記推奨食品のリストおよび前記クーポンが表示される。
【００９９】
本実施形態の支援システムによれば、ユーザの健康状態、栄養状態等に応じて、ユーザに適した推奨食品のクーポンを提供できる。また、ユーザは、例えば、前記クーポンを使用することにより、簡便に推奨食品を購入できるため、前記ユーザに適した推奨食品の摂取を促すことができる。このため、本実施形態の支援システムによれば、例えば、前記ユーザの健康管理を支援できる。本実施形態の支援システムによれば、サーバを任意の場所に設置して、オンラインによりユーザに適した推奨食品のクーポンを提供できる。そのため、装置の設置に場所を取ることがなく、メンテナンスも容易である。また、ユーザの端末およびクーポン購入者の端末がいずれの場所に存在する場合であっても、一箇所での集中管理や遠隔操作が可能となる。
【０１００】
つぎに、図１５を用いて、本実施形態の支援システムについて、より具体的に説明する。なお、以下の例では、サーバ３１は、支援装置として、実施形態２および実施形態５の支援装置を組合せた支援装置を備える。
【０１０１】
ユーザ４１は、コンビニエンスストアでとんかつ弁当４２を購入する。ユーザは、とんかつ弁当４２購入時のレシートをユーザ端末３２ａで撮像する。得られたレシート画像を前記購入食品情報として、ユーザ４１の識別情報とともに通信回線網３３を介してサーバ３１に出力する。サーバ３１では、前記取得手段により、ユーザ端末３２ａから出力されたレシート画像を取得する。つぎに、前記抽出手段により、前記レシート画像から前記購入食品の名称および購入した店舗等の情報がテキスト抽出される。そして、前記抽出手段は、サーバ３１外に存在する前記コンビニエンスストアの商品の栄養成分情報を格納するデータベースから、とんかつ弁当４２の栄養成分情報を取得することにより、前記栄養成分情報を抽出する。また、前記抽出手段は、前記ユーザの過去の購入食品情報および今回の購入食品情報を用いて、例えば、深層学習により、前記ユーザの味の好みを分析し、前記ユーザの嗜好情報を抽出する。
【０１０２】
つぎに、前記リスト作成手段は、前記栄養成分情報と前記嗜好情報とから、前記推奨食品のリストを作成する。具体的には、前記ユーザの場合、前記ユーザは、前記栄養成分情報から食物繊維とビタミン類が不足していると、前記リスト作成手段により判断される。また、前記嗜好情報から、前記ユーザは、前記ユーザが加工された肉類を好むと前記リスト作成手段により判断される。この場合、前記リスト作成手段により、不足している食物繊維とビタミン類とを豊富に含み、かつ肉類を含むサラダ４３、お弁当４４ａ、４４ｂ等を推奨食品として抽出し、リストを作成する。そして、クーポン作成手段は、各推奨食品の価格に基づき、等価の価格が付与されたクーポン４５ａ、４５ｂ、４５ｃを発行する。前記出力手段により、前記リストおよびクーポン４５ａ、４５ｂ、４５ｃは、サーバ３１からクーポン購入者であるユーザの親４６の端末３２ｂに出力される。前記リストおよびクーポン４５ａ、４５ｂ、４５ｃの出力時に、例えば、ユーザ４１の栄養成分情報４７ａおよびそれから推定されるユーザの健康状態４７ｂ等を併せて出力してもよい。
【０１０３】
親４６がクーポン４５ｂを購入すると、親４６の端末３２ｂから、クーポン４５ｂを購入することを示すクーポン購入情報が入力され、端末３２ｂからサーバ３１へ出力される。そして、サーバ３１では、前記購入判定手段により、前記購入情報があるため、クーポン４５ｂが購入されたと判定する。そして、前記所有情報付与手段により、ユーザ４１の識別情報に、クーポン４５ｂの所有情報を付与する。また、サーバ３１は、例えば、ユーザ４１に対して、前記報知手段により、クーポン４５ｂの所有情報が付与されたことを報知する。そして、ユーザ４１は、クーポン４５ｂを用いて弁当４４ａを購入し、食べることにより、ユーザ４１に適した推奨食品を摂取できる。
【０１０４】
以上、実施形態を参照して本発明を説明したが、本発明は、上記実施形態に限定されるものではない。本発明の構成や詳細には、本発明のスコープ内で当業者が理解しうる様々な変更をできる。
【０１０５】
＜付記＞
上記の実施形態および実施例の一部または全部は、以下の付記のように記載されうるが、以下には限られない。
（付記１）
ユーザの購入食品情報を取得する取得手段と、
前記購入食品情報から、ユーザに適した推奨食品のリストを作成するリスト作成手段と、
前記推奨食品のリストから、前記推奨食品を購入可能なクーポンを作成するクーポン作成手段と、
前記推奨食品のリストおよび前記クーポンを出力する出力手段とを含むことを特徴とする、健康管理支援装置。
（付記２）
前記クーポン作成手段により、前記推奨食品の価格から前記クーポンの価格が決定される、付記１記載の健康管理支援装置。
（付記３）
前記出力手段により、前記推奨食品リストおよび前記クーポンがクーポン購入者の端末に出力される、付記１または２記載の健康管理支援装置。
（付記４）
前記取得手段により、ユーザの識別情報が取得され、
前記クーポンが購入されたかを判定する購入判定手段と、
前記ユーザの識別情報に、前記クーポンの所有情報を付与する所有情報付与手段を含み、
前記所有情報付与手段において、前記購入判定手段により前記クーポンが購入されたと判定された場合、前記ユーザの識別情報に前記所有情報が付与される、付記１から３のいずれかに記載の健康管理支援装置。
（付記５）
前記ユーザにより、前記推奨食品が選択されたかを判定する食品選択判定手段と、
前記ユーザがクーポンを所有しているかを判定する所有判定手段と、
前記クーポンにより購入するかを前記ユーザに問合せする問合せ情報を出力する問合せ出力手段とを含み、
前記所有判定手段において、前記食品選択判定手段により前記推奨食品が選択されたと判定された場合、前記クーポンを所有しているかが判定され、
前記問合せ出力手段において、前記所有判定手段によりクーポンを所有していると判定された場合、前記問合せ情報が前記ユーザに出力される、付記１から４のいずれかに記載の健康管理支援装置。
（付記６）
前記クーポンが選択されたかを判定するクーポン選択判定手段と、
前記購入食品情報および選択されたクーポンにより購入可能な推奨食品から、ユーザに適した追加の推奨食品のリストを作成する追加リスト作成手段と、
前記追加の推奨食品のリストから、前記追加の推奨食品を購入可能な追加クーポンを作成する追加クーポン作成手段と、
前記追加の推奨食品のリストおよび前記追加クーポンを出力する追加出力手段とを含み、
前記追加リスト作成手段において、前記クーポン選択判定手段により前記クーポンが選択されたと判定された場合、前記追加の推奨食品のリストが作成され、
前記追加クーポン作成手段により、前記追加のクーポンが作成され、
前記追加出力手段により、前記追加の推奨食品のリストおよび前記追加クーポンが出力される、付記１から５のいずれかに記載の健康管理支援装置。
（付記７）
前記追加クーポン作成手段により、前記追加の推奨食品の価格から前記追加クーポンの価格が決定される、付記６記載の健康管理支援装置。
（付記８）
前記出力手段により、前記追加の推奨食品リストおよび前記追加クーポンがクーポン購入者の端末に出力される、付記６または７記載の健康管理支援装置。
（付記９）
前記ユーザの端末と、前記クーポン購入者の端末とは、異なる端末である、付記３または８記載の健康管理支援装置。
（付記１０）
前記購入食品情報から、購入食品の栄養成分情報と、ユーザの嗜好情報とを抽出する抽出手段を含み、
前記リスト作成手段において、前記栄養成分情報と前記嗜好情報とから、前記推奨食品のリストが作成される、付記１から９のいずれかに記載の健康管理支援装置。
（付記１１）
前記抽出手段により、装置外から前記購入食品の栄養成分情報が取得される、付記１０記載の健康管理支援装置。
（付記１２）
前記栄養成分情報からユーザの健康状態を推定する推定手段を含む、付記１０または１１記載の健康管理支援装置。
（付記１３）
前記ユーザの健康状態を出力する健康状態出力手段を含む、付記１２記載の健康管理支援装置。
（付記１４）
前記ユーザの健康状態は、ユーザの現在の健康状態およびユーザの未来の健康状態の少なくとも一方を含む、付記１２または１３記載の健康管理支援装置。
（付記１５）
前記ユーザにより、前記推奨食品が選択されたかを判定する食品選択判定手段と、
前記購入食品情報および選択された推奨食品から、ユーザに適した同時購入推奨食品のリストを作成する同時購入リスト作成手段と、
前記同時購入推奨食品のリストを出力する同時購入リスト出力手段とを含み、
前記同時購入リスト作成手段において、前記食品選択判定手段により前記推奨食品が選択されたと判定された場合、前記同時購入推奨食品のリストを作成し、
前記同時購入リスト出力手段により、前記同時購入推奨食品のリストがユーザに出力される、付記１から１４のいずれかに記載の健康管理支援装置。
（付記１６）
ユーザの位置情報を取得する位置情報取得手段と、
前記ユーザの位置情報から、前記ユーザから所定距離内の店舗の食品の在庫情報を取得する在庫情報取得手段とを含み、
前記リスト作成手段により、前記購入食品情報および前記在庫情報から、ユーザに適した推奨食品のリストが作成される、付記１から１５のいずれかに記載の健康管理支援装置。
（付記１７）
前記健康管理支援装置は、サーバである、付記１から１６のいずれかに記載の健康管理支援装置。
（付記１８）
ユーザの購入食品情報を取得する取得工程と、
前記購入食品情報から、ユーザに適した推奨食品のリストを作成するリスト作成工程と、
前記推奨食品のリストから、前記推奨食品を購入可能なクーポンを作成するクーポン作成工程と、
前記推奨食品のリストおよび前記クーポンを出力する出力工程とを含むことを特徴とする、健康管理支援方法。
（付記１９）
前記クーポン作成工程では、前記推奨食品の価格から前記クーポンの価格を決定する、付記１８記載の健康管理支援方法。
（付記２０）
前記出力工程では、前記推奨食品リストおよび前記クーポンをクーポン購入者の端末に出力する、付記１８または１９記載の健康管理支援方法。
（付記２１）
前記取得工程では、ユーザの識別情報が取得され、
前記クーポンが購入されたかを判定する購入判定工程と、
前記ユーザの識別情報に、前記クーポンの所有情報を付与する所有情報付与工程を含み、
前記所有情報付与工程では、前記購入判定工程において前記クーポンが購入されたと判定された場合、前記ユーザの識別情報に前記所有情報を付与する、付記１８から２０のいずれかに記載の健康管理支援方法。
（付記２２）
前記ユーザにより、前記推奨食品が選択されたかを判定する食品選択判定工程と、
前記ユーザがクーポンを所有しているかを判定する所有判定工程と、
前記クーポンにより購入するかを前記ユーザに問合せする問合せ情報を出力する問合せ出力工程とを含み、
前記所有判定工程では、前記食品選択判定工程において前記推奨食品が選択されたと判定された場合、前記クーポンを所有しているかを判定し、
前記問合せ出力工程では、前記所有判定工程においてクーポンを所有していると判定された場合、前記問合せ情報を前記ユーザに出力する、付記１８から２１のいずれかに記載の健康管理支援方法。
（付記２３）
前記クーポンが選択されたかを判定するクーポン選択判定工程と、
前記購入食品情報および選択されたクーポンにより購入可能な推奨食品から、ユーザに適した追加の推奨食品のリストを作成する追加リスト作成工程と、
前記追加の推奨食品のリストから、前記追加の推奨食品を購入可能な追加クーポンを作成する追加クーポン作成工程と、
前記追加の推奨食品のリストおよび前記追加クーポンを出力する追加出力工程とを含み、
前記追加リスト作成工程では、前記クーポン選択判定工程において前記クーポンが選択されたと判定された場合、前記追加の推奨食品のリストを作成し、
前記追加クーポン作成工程では、前記追加のクーポンを作成し、
前記追加出力工程では、前記追加の推奨食品のリストおよび前記追加クーポンを出力する、付記１８から２２のいずれかに記載の健康管理支援方法。
（付記２４）
前記追加クーポン作成工程では、前記追加の推奨食品の価格から前記追加クーポンの価格を決定する、付記２３記載の健康管理支援方法。
（付記２５）
前記追加出力工程では、前記追加の推奨食品リストおよび前記追加クーポンをクーポン購入者の端末に出力する、付記２３または２４記載の健康管理支援方法。
（付記２６）
前記ユーザの端末と、前記クーポン購入者の端末とは、異なる端末である、付記２０または２５記載の健康管理支援方法。
（付記２７）
前記購入食品情報から、購入食品の栄養成分情報と、ユーザの嗜好情報とを抽出する抽出工程を含み、
前記リスト作成工程では、前記栄養成分情報と前記嗜好情報とから、前記推奨食品のリストを作成する、付記１８から２６のいずれかに記載の健康管理支援方法。
（付記２８）
前記抽出工程では、外部から前記購入食品の栄養成分情報を取得する、付記２７記載の健康管理支援方法。
（付記２９）
前記栄養成分情報からユーザの健康状態を推定する推定工程を含む、付記２７または２８記載の健康管理支援方法。
（付記３０）
前記ユーザの健康状態を出力する健康状態出力工程を含む、付記２９記載の健康管理支援方法。
（付記３１）
前記ユーザの健康状態は、ユーザの現在の健康状態およびユーザの未来の健康状態の少なくとも一方を含む、付記２９または３０記載の健康管理支援方法。
（付記３２）
前記ユーザにより、前記推奨食品が選択されたかを判定する食品選択判定工程と、
前記購入食品情報および選択された推奨食品から、ユーザに適した同時購入推奨食品のリストを作成する同時購入リスト作成工程と、
前記同時購入推奨食品のリストを出力する同時購入リスト出力工程とを含み、
前記同時購入リスト作成工程では、前記食品選択判定工程において前記推奨食品が選択されたと判定された場合、前記同時購入推奨食品のリストを作成し、
前記同時購入リスト出力工程では、前記同時購入推奨食品のリストをユーザに出力する、付記１８から３１のいずれかに記載の健康管理支援方法。
（付記３３）
ユーザの位置情報を取得する位置情報取得工程と、
前記ユーザの位置情報から、前記ユーザから所定距離内の店舗の食品の在庫情報を取得する在庫情報取得工程とを含み、
前記リスト作成工程では、前記購入食品情報および前記在庫情報から、ユーザに適した推奨食品のリストを作成する、付記１８から３２のいずれかに記載の健康管理支援方法。
（付記３４）
ユーザの購入食品情報を取得する取得処理と、
前記購入食品情報から、ユーザに適した推奨食品のリストを作成するリスト作成処理と、
前記推奨食品のリストから、前記推奨食品を購入可能なクーポンを作成するクーポン作成処理と、
前記推奨食品のリストおよび前記クーポンを出力する出力処理とを、コンピュータ上で実行可能であることを特徴とする、プログラム。
（付記３５）
付記３４のいずれかに記載のプログラムを記録していることを特徴とする、コンピュータ読み取り可能な記録媒体。
【産業上の利用可能性】
【０１０６】
本発明によれば、例えば、ユーザの健康状態、栄養状態等に応じて、ユーザに適した食品のクーポンを提供できる。また、ユーザは、例えば、前記クーポンを使用することにより、簡便に推奨食品を購入できるため、前記ユーザに適した推奨食品の摂取を促すことができる。さらに、本発明によれば、ユーザに適した食品（例えば、栄養バランスがとれた食品、食材等）に対するクーポンを、例えば、ユーザ以外の第三者に提示でき、第三者によるユーザの健康管理への介入を可能とすることにより、ユーザに対して栄養管理を継続的に促すことができる。このため、本発明によれば、例えば、前記ユーザの健康管理を支援できる。このため、本発明は、医療分野、予防医学分野等において極めて有用である。
【符号の説明】
【０１０７】
１０、２０、３０、４０、５０、６０、７０  支援装置
１１                データ処理手段
１１１              取得手段
１１２              リスト作成手段
１１３              クーポン作成手段
１１４              出力手段
１１５              購入判定手段
１１６              所有情報付与手段
１１７              食品選択判定手段
１１８              所有判定手段
１１９              問合せ手段
１２                データ記憶手段
１２１              情報記憶部
１２２              リスト記憶部
１２３              クーポン記憶部
１３０              クーポン選択判定手段
１３１              追加リスト作成手段
１３２              追加クーポン作成手段
１３３              追加出力手段
１３４              抽出手段
１３５              同時購入リスト作成手段
１３６              同時購入リスト出力手段
３１                サーバ
３２ａ              ユーザの端末
３２ｂ              クーポン購入者の端末
３３                通信回線網
【図１】
2019179500.tif 000003
【図２】
2019179500.tif 000004
【図３】
2019179500.tif 000005
【図４】
2019179500.tif 000006
【図５】
2019179500.tif 000007
【図６】
2019179500.tif 000008
【図７】
2019179500.tif 000009
【図８】
2019179500.tif 000010
【図９】
2019179500.tif 000011
【図１０】
2019179500.tif 000012
【図１１】
2019179500.tif 000013
【図１２】
2019179500.tif 000014
【図１３】
2019179500.tif 000015
【図１４】
2019179500.tif 000016
【図１５】
2019179500.tif 000017